(57)【特許請求の範囲】
【請求項１】
電気的パラメータを測定する測定部と、当該測定装置の動作状態、および前記測定部の測定結果をスマートフォンの表示部に表示させるための表示用データを生成する処理部と、前記処理部の制御に従って前記スマートフォンに前記表示用データを送信する無線通信部とを備えている測定装置であって、当該測定装置の電源を遮断する電源遮断処理を実行する制御部を備え、前記制御部は、前記スマートフォンから前記電源遮断処理の実行を指示する制御データが送信されたときに当該制御データに従って当該電源遮断処理を実行する前記測定装置と、
現在位置を測位して現在位置情報を出力する現在位置測位部を有する前記スマートフォンとを備えて構成された測定システムであって、
前記スマートフォンは、前記測定装置から送信された前記表示用データに基づいて当該測定装置の前記動作状態および前記測定結果を前記表示部に表示させ、かつ、前記現在位置測位部から出力された前記現在位置情報に基づいて特定した現在位置が予め設定された範囲を外れたときに前記制御データを前記測定装置に送信して前記電源遮断処理を実行させる測定装置用プログラムがインストールされている測定システム。
【請求項２】
前記スマートフォンには、前記測定装置用プログラムとして、前記測定装置に前記電源遮断処理を実行させるための前記制御データを送信した後に当該測定装置用プログラムを終了するようにプログラムされたプログラムがインストールされている請求項１記載の測定システム。
【請求項３】
前記スマートフォンには、前記測定装置用プログラムとして、前記表示用データから前記測定結果を抽出してストレージメモリに記憶させるデータ保存処理を実行可能なプログラムがインストールされている請求項１または２記載の測定システム。
【発明の詳細な説明】
【技術分野】
【０００１】
本発明は、測定対象についての電気的パラメータを測定可能に構成された測定装置を備えて構成された測定システムに関するものである。
【背景技術】
【０００２】
例えば、実開平５−５２７６５号公報に開示されているマルチメータは、一対のプローブを接続可能なジャックと、測定条件を設定操作するための各種ボタンと、測定結果を表示するための液晶表示器とがケーシング（筐体）の一面に配設されて、電圧値、電流値および抵抗値のいずれかを測定して測定結果を液晶表示器に表示することができるように構成されている。このマルチメータの使用に際しては、まず、セレクトボタンを操作して、例えば電圧値の測定処理を選択すると共に、この処理に対応付けられたジャックに両プローブを接続する。次いで、両プローブを測定対象に接触させることにより、測定回路によって電圧値が測定されて、その測定結果が液晶表示器に数値で表示される。また、電圧値の測定に代えて、電流値を測定する際には、セレクトボタンを操作して、電流値の測定処理を選択すると共に、この処理に対応付けられたジャックに両プローブを接続する。次いで、両プローブを測定対象に接触させることにより、測定回路によって電流値が測定されて、その測定結果が液晶表示器に数値で表示される。
【先行技術文献】
【特許文献】
【０００３】
【特許文献１】実開平５−５２７６５号公報（第６−９頁、第１−４図）
【発明の概要】
【発明が解決しようとする課題】
【０００４】
ところが、従来のマルチメータには、以下の問題点が存在する。すなわち、従来のマルチメータでは、電圧値、電流値および抵抗値などの測定結果を、ケーシングの一面に配設された液晶表示器に表示させる構成が採用されている。この場合、この種の測定装置に対しては、容易に持ち運び可能とし、かつ、不使用時における占有スペース（収納スペース）を小さくするため、小形化および軽量化を図るべきとの強い要望がある。しかしながら、従来のマルチメータを小形化する場合には、測定結果表示用の液晶表示器についても小形化せざるを得ず、測定結果の読み取りが困難になるおそれがある。このため、従来のマルチメータのような測定装置においては、測定結果を容易に読み取り得る十分な大きさの表示器を搭載する必要があり、これに起因して、小形化および軽量化が困難になっているという問題点がある。
【０００５】
本発明は、かかる問題点に鑑みてなされたものであり、測定結果の読み取りを困難とすることなく、測定装置の小形化および軽量化を図り得る測定システムを提供することを主目的とする。
【課題を解決するための手段】
【００１５】
上記目的を達成すべく、請求項１記載の測定システムは、電気的パラメータを測定する測定部と、当該測定装置の動作状態、および前記測定部の測定結果をスマートフォンの表示部に表示させるための表示用データを生成する処理部と、前記処理部の制御に従って前記スマートフォンに前記表示用データを送信する無線通信部とを備えている測定装置であって、当該測定装置の電源を遮断する電源遮断処理を実行する制御部を備え、前記制御部は、前記スマートフォンから前記電源遮断処理の実行を指示する制御データが送信されたときに当該制御データに従って当該電源遮断処理を実行する前記測定装置と、現在位置を測位して現在位置情報を出力する現在位置測位部を有する前記スマートフォンとを備えて構成された測定システムであって、前記スマートフォンは、前記測定装置から送信された前記表示用データに基づいて当該測定装置の前記動作状態および前記測定結果を前記表示部に表示させ、かつ、前記現在位置測位部から出力された前記現在位置情報に基づいて特定した現在位置が予め設定された範囲を外れたときに前記制御データを前記測定装置に送信して前記電源遮断処理を実行させる測定装置用プログラムがインストールされている。
【００１７】
また、請求項２記載の測定システムは、請求項１記載の測定システムにおいて、前記スマートフォンには、前記測定装置用プログラムとして、前記測定装置に前記電源遮断処理を実行させるための前記制御データを送信した後に当該測定装置用プログラムを終了するようにプログラムされたプログラムがインストールされている。
【００１８】
さらに、請求項３記載の測定システムは、請求項１または２記載の測定システムにおいて、前記スマートフォンには、前記測定装置用プログラムとして、前記表示用データから前記測定結果を抽出してストレージメモリに記憶させるデータ保存処理を実行可能なプログラムがインストールされている。
【発明の効果】
【００１９】
請求項１記載の測定システムでは、測定装置は、電気的パラメータを測定する測定部と、測定装置の動作状態、および測定部の測定結果をスマートフォンの表示部に表示させるための表示用データを生成する処理部と、処理部の制御に従ってスマートフォンに表示用データを送信する無線通信部とを備えて構成されている。
【００２０】
したがって、請求項１記載の測定システムによれば、動作状態や測定結果を表示するための表示部が測定装置に存在しなくても、無線通信部から送信した表示用データに基づいて測定装置の動作状態や測定部による測定結果をスマートフォンの表示部に表示させることができるため、測定結果の読み取りが困難となる事態を招くことなく、表示部を不要として、測定装置を十分に小形化および軽量化することができる。また、測定装置とは別体に専用の表示装置を設ける構成とは異なり、スマートフォンを所有している者にとっては、測定システムを安価に構築することができる。さらに、無線通信によって測定装置からスマートフォンに表示用データを送信することにより、通信用のケーブルが絡み合うことがないため、測定装置やスマートフォンの取り扱いが十分に容易となる。加えて、他の通信機器を別途用意することなく、スマートフォンが接続可能な各種通信網（携帯電話通信網等）を利用して測定結果を任意の場所へ送信することができる。
【００２３】
また、この測定システムでは、制御部が、スマートフォンから電源遮断処理の実行を指示する制御データが送信されたときに制御データに従って電源遮断処理を実行して測定装置の電源を遮断する。また、この測定システムでは、上記の測定装置と、測定装置から送信された表示用データに基づいて測定装置の動作状態および測定結果を表示部に表示させ、かつ、現在位置測位部から出力された現在位置情報に基づいて特定した現在位置が予め設定された範囲を外れたときに制御データを測定装置に送信して電源遮断処理を実行させる測定装置用プログラムがインストールされたスマートフォンとを備えて構成されている。
【００２４】
したがって、この測定システムによれば、測定結果の読み取りが困難となる事態を招くことなく、表示部を不要として、測定装置を十分に小形化および軽量化することができるだけでなく、測定処理の終了後に測定装置の電源を遮断し忘れたとしても、その状態の測定システムを携行して測定現場を離れたとき（スマートフォンが予め設定された範囲外に移動したとき）に、測定装置の電源が遮断されるため、測定処理を実行していない測定装置によって不要な電力が消費される事態を確実かつ容易に回避することができる。
【００２６】
また、請求項２記載の測定システムによれば、測定装置に電源遮断処理を実行させるための制御データを送信した後に測定装置用プログラムを終了するようにプログラムされたプログラムを測定装置用プログラムとしてスマートフォンにインストールしたことにより、測定装置の電源を遮断させたとき、すなわち、測定処理を終了したときに、スマートフォンにおいて継続して実行させる必要がなくなった測定装置用プログラムを、終了操作を行うことなく自動的に終了させることができるため、測定装置用プログラムの不要な実行によってスマートフォンの電力が消費される事態を回避することがきる。
【００２７】
また、請求項３記載の測定システムによれば、表示用データから測定結果を抽出して測定結果データとしてストレージメモリに記憶させるデータ保存処理を実行可能なプログラムを測定装置用プログラムとしてスマートフォンにインストールしたことにより、測定装置内に大容量のメモリを搭載することなく、測定部による測定結果をスマートフォンにおいてストレージメモリに記憶させて保存することができる。これにより、小さなメモリを搭載して測定装置を製造できるため、測定装置の製造コストを十分に低減することができる。
【図面の簡単な説明】
【００２８】
【図１】測定システム１００の構成を示すブロック図である。
【図２】測定システム１００における測定装置１およびスマートフォン２の外観図である。
【図３】表示部２３に電源遮断処理開始メッセージ３６を表示させた状態のスマートフォン２の外観図である。
【発明を実施するための形態】
【００２９】
以下、測定装置および測定システムの実施の形態について、添付図面を参照して説明する。
【００３０】
図１，２に示す測定システム１００は、測定装置１およびスマートフォン２を備えて構成されている。この場合、「スマートフォン」は、広義には、ＰＤＡ（携帯情報端末）の機能が備わった携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。なお、上記のスマートフォン２は、後述するように、この測定システム１００専用の「測定装置用プログラム」がインストールされた既存の「スマートフォン」で構成されている。
【００３１】
測定装置１は、図１に示すように、測定部１１、操作部１２、インジケータ１３、無線通信部１４、有線通信部１５および処理部１６を備えて構成されている。この場合、この測定装置１は、図２に示すように、一例として、上記の各要素１１〜１６が円筒状のケーシング内に収容されて構成された本体部１０ａと、本体部１０ａ（測定部１１）に対してケーブル１１ｃを介して接続されたテストリード１０ｂとを備えて構成されている。測定部１１は、本体部１０ａに配設された接触子１１ａと、テストリード１０ｂに配設されてケーブル１１ｃを介して接続された接触子１１ｂとを備えている。この測定部１１は、後述するように、処理部１６からの制御信号Ｓ２に従い、「電気的パラメータ」の一例である直流電圧値（ＤＣＶ）、交流電圧値（ＡＣＶ）および抵抗値（Ω）の３種類のうちのいずれかを測定し、その測定結果を処理部１６に出力可能に構成されている。
【００３２】
操作部１２は、一例として、操作時間（押圧状態を維持する時間）に応じて、予め割り当てられた機能を実行するための操作スイッチとして機能するプッシュスイッチを備えて構成されている。具体的には、この測定装置１では、一例として、電源が遮断されている状態において１秒以上３秒未満の長押し操作を行うことで電源が投入され、電源が投入されている状態において１秒以上の長押し操作を行うことで電源が遮断され、電源が遮断されている状態において３秒以上の長押し操作を行うことで電源が投入された後に後述するペアリングモードに移行する機能が操作部１２の操作スイッチに割り当てられている。インジケータ１３は、例えばＬＥＤで構成されて、処理部１６の制御に従い、一例として、電源投入状態において点灯し、ペアリングモードに移行している状態において点滅する。
【００３３】
無線通信部１４は、一例として、ブルートゥース（Bluetooth:登録商標）規格に準じた近距離無線通信を実行可能に構成されて、後述するように、「測定装置用プログラム」がインストールされたスマートフォン２との間でペアリングされた状態において、スマートフォン２から送信された操作データＤ０を受信して処理部１６に出力すると共に、処理部１６の制御に従って表示用データＤ１をスマートフォン２に向けて送信する。有線通信部１５は、一例として、ＵＳＢ規格に準じた接続コネクタ１５ａ（図２参照）を備えて、この接続コネクタ１５ａに接続される信号ケーブルＣ（図１参照）を介してスマートフォン２と接続可能に構成されている。また、有線通信部１５は、信号ケーブルＣを介してスマートフォン２と接続された状態において、スマートフォン２から送信された操作データＤ０を受信して処理部１６に出力すると共に、処理部１６の制御に従って表示用データＤ１をスマートフォン２に向けて送信する。なお、この測定装置１では、一例として、接続コネクタ１５ａに信号ケーブルＣが接続されたときに無線通信部１４がオフ状態に移行し、接続コネクタ１５ａから信号ケーブルＣが取り外されたときに無線通信部１４がオン状態に移行するように構成されている。
【００３４】
処理部１６は、測定装置１を総括的に制御する。具体的には、処理部１６は、スマートフォン２から送信されて無線通信部１４または有線通信部１５によって受信された操作データＤ０に応じて測定部１１を制御する（制御信号Ｓ２を出力する）ことにより、直流電圧値の測定処理、交流電圧値の測定処理、および抵抗体の抵抗値の測定処理のいずれかを実行させる。また、処理部１６は、測定部１１に実行させた測定処理の内容（「測定装置の動作状態」の一例）、および測定部１１の測定結果をスマートフォン２に表示させるための表示用データＤ１を生成して、無線通信部１４または有線通信部１５を介してスマートフォン２に送信させる。
【００３５】
さらに、処理部１６は、「制御部」を構成し、測定装置１の電源を遮断する「電源遮断処理」を実行する。具体的には、処理部１６は、無線通信部１４または有線通信部１５からスマートフォン２への表示用データＤ１の送信が可能な通信可能状態が維持されているかを監視すると共に、一例として、通信可能状態が解除されて表示用データＤ１を送信することができなくなった時点から３０秒が経過したときに測定装置１の電源を自動的に遮断する処理を「電源遮断処理」として実行する。また、処理部１６は、後述するようにして、スマートフォン２から「電源遮断処理」の実行を指示する操作データＤ０（「制御データ」の一例）」が送信されたときに、送信された操作データＤ０に従って測定装置１の電源を遮断する処理を「電源遮断処理」として実行する。
【００３６】
一方、スマートフォン２は、上記したように、「測定装置用プログラム」がインストールされた既存の「スマートフォン」で構成され、図１に示すように、一例として、本体メモリ２１、操作部２２、表示部２３、無線通信部２４、有線通信部２５、処理部２６、ストレージメモリ装着部２７、携帯電話通信部２８およびＧＰＳレシーバ２９を備えて構成されている。なお、スマートフォン２における「携帯電話としての機能」や「ＰＤＡとしての機能」を実現するための構成要素については公知のため、図示および説明を省略する。本体メモリ２１は、スマートフォン２の動作プログラムを記憶すると共に、利用者がインストールする各種プログラムを記憶する。操作部２２は、図示しない電源スイッチなどの他に、表示部２３の表面側に配設されたタッチパネルを備えて構成されて、これらの操作に応じた操作信号Ｓ１（「操作部から出力された出力信号」の一例）を処理部２６に出力する。
【００３７】
表示部２３は、処理部２６の制御に従って各種の表示画面を表示する。この場合、この測定システム１００では、後述するようにスマートフォン２において「測定装置用プログラム」が実行されたときに、図２に示す測定処理用画面３０が表示部２３に表示される。この測定処理用画面３０には、一例として、操作部２２におけるタッチパネルの操作によって測定装置１に直流電圧値の測定処理を実行させるためのファンクション選択キー表示３１ａ、タッチパネルの操作によって測定装置１に交流電圧値の測定処理を実行させるためのファンクション選択キー表示３１ｂ、タッチパネルの操作によって測定装置１に抵抗値の測定処理を実行させるためのファンクション選択キー表示３１ｃ、測定装置１の動作状態（実行される測定処理の内容）を示すファンクション表示３２、測定装置１（測定部１１）による測定結果を表示する測定結果表示３３、タッチパネルの操作によって図示しないメニュー画面を表示部２３に表示させるためのＭｅｎｕキー表示３４、およびタッチパネルの操作によって「測定装置用プログラム」を終了させるためのＥｎｄキー表示３５が表示される。
【００３８】
無線通信部２４は、測定装置１の無線通信部１４と同様にして、ブルートゥース規格に準じた近距離無線通信を実行可能に構成されて、後述するように、測定装置１との間でペアリングされた状態において、処理部２６の制御に従って測定装置１に操作データＤ０を送信すると共に、測定装置１から送信された表示用データＤ１を受信して処理部２６に出力する。有線通信部２５は、測定装置１の有線通信部１５と同様にして、ＵＳＢ規格に準じた接続コネクタを備えて、この接続コネクタに接続される信号ケーブルＣ（図１参照）を介して測定装置１や図示しない各種の外部装置と接続可能に構成されている。この有線通信部２５は、信号ケーブルＣを介して測定装置１と接続された状態において、処理部２６の制御に従って測定装置１に操作データＤ０を送信すると共に、測定装置１から送信された表示用データＤ１を受信して処理部２６に出力する。
【００３９】
処理部２６は、スマートフォン２を総括的に制御する。具体的には、処理部２６は、「測定装置用プログラム」に従い、表示部２３に測定処理用画面３０を表示させる。また、処理部２６は、操作部２２（タッチパネル）から出力された操作信号Ｓ１に基づき、測定装置１を遠隔操作するための操作データＤ０を生成して、無線通信部２４または有線通信部２５を介して測定装置１に送信させる。さらに、処理部２６は、測定装置１から送信されて無線通信部２４または有線通信部２５によって受信された表示用データＤ１に基づき、測定処理用画面３０のファンクション表示３２に測定装置１の動作状態（測定部１１によって実行されている測定処理の内容）を表示させると共に、測定結果表示３３に測定結果を数値表示させる。また、処理部２６は、測定装置１から送信されて無線通信部２４または有線通信部２５によって受信された表示用データＤ１から測定結果を抽出して測定結果データＤ２としてストレージメモリＭ（または、本体メモリ２１）に記録させる。さらに、処理部２６は、Ｍｅｎｕキー表示３４の操作によって表示されるメニュー画面のなかからデータ送信処理を選択されたときに、ストレージメモリＭ（または、本体メモリ２１）に記録されている測定結果データＤ２を、携帯電話通信網を介して任意のデータサーバに送信する処理を実行する。ストレージメモリ装着部２７は、既存のメモリカードをストレージメモリＭとして装着可能に構成されている。
【００４０】
携帯電話通信部２８は、処理部２６の制御に従い、携帯電話の公衆回線網を構成する携帯電話基地局（以下、単に「基地局」ともいう）との間で各種のデータを送受信する。具体的には、携帯電話通信部２８は、アクセス可能な複数の基地局の各位置に基づいて上記の公衆回線網の管理設備やいずれかの基地局において生成されて送信される現在位置情報Ｄｐ１を受信すると共に、通話時には、基地局との間で通話データを送受信する。また、携帯電話通信部２８は、基地局を介してインターネット上の所定のサーバーに上記の測定結果データＤ２をアップロードしたり、所定のサーバーから「測定装置用プログラム」の更新データなどをダウンロードしたりする際に、これらのデータを送受信する。ＧＰＳレシーバ２９は、ＧＰＳ衛星からのＧＰＳ信号Ｓｇを受信してスマートフォン２の現在位置を特定し、その特定結果を現在位置情報Ｄｐ２として処理部２６に出力する。なお、ＧＰＳレシーバ２９による現在位置の測位方法や現在位置情報Ｄｐ２の生成方法については公知のため、詳細な説明を省略する。この場合、このスマートフォン２では、ＧＰＳレシーバ２９が「現在位置測位部」の１つを構成すると共に、携帯電話通信部２８および処理部２６が相まって「現在位置測位部」の他の１つを構成する。
【００４１】
この測定システム１００の使用に際しては、まず、スマートフォン２に「測定装置用プログラム」をインストールする。この「測定装置用プログラム」については、一例として、測定装置１の附属品としてインストール用光ディスクを提供したり、インターネット内の任意のサイトからダウンロードして使用するようにしたりすることができる。なお、「測定装置用プログラム」のインストール作業に関しては、「スマートフォン」に対する各種プログラムのインストール作業と同様のため、説明を省略する。また、「測定装置用プログラム」のインストール先については、本体メモリ２１およびストレージメモリＭのいずれでもよい。次いで、スマートフォン２と測定装置１との間においてブルートゥースのペアリングを行う。なお、ペアリング作業に関しては、公知の各種ブルートゥース機器のペアリング作業と同様のため、その説明を省略する。これにより、測定システム１００を使用する準備が整う。
【００４２】
一方、測定システム１００を使用して測定対象についての測定処理を実行する際には、スマートフォン２の無線通信部２４をオン状態にする（通信可能な状態とする）と共に「測定装置用プログラム」を実行する。この状態において操作部１２を操作して測定装置１に電源を投入すると、測定装置１のインジケータ１３が点灯すると共に、上記のペアリング作業によってペアリングされた無線通信部１４，２４が相互に通信可能な状態となる。この際に、測定装置１の処理部１６は、無線通信部１４，２４の間のペアリングが維持されているか否か（スマートフォン２との通信が可能な状態が維持されているか否か）の監視を開始する。また、スマートフォン２においては、「測定装置用プログラム」の実行によって表示部２３に測定処理用画面３０が表示される。ここで、例えば直流電圧値の測定処理を実行する際には、スマートフォン２の測定処理用画面３０におけるファンクション選択キー表示３１ａの表示部位にタッチする。この際には、操作部２２（タッチパネル）からの操作信号Ｓ１に基づいて、処理部２６が「直流電圧値の測定処理を実行する旨の操作」に対応する操作データＤ０を生成して、無線通信部２４を介して測定装置１に送信させる。
【００４３】
これに応じて、測定装置１では、処理部１６が、無線通信部１４によって受信された操作データＤ０に応じて測定部１１に制御信号Ｓ２を出力することにより、直流電圧値の測定処理を開始させる。また、処理部１６は、測定部１１への制御信号Ｓ２の出力と並行して、直流電圧値の測定処理を測定部１１に開始させた旨を示す表示用データＤ１（測定装置１の動作状態を示す表示用データＤ１）を生成して、無線通信部１４を介してスマートフォン２に送信させる。この際には、スマートフォン２の処理部２６が無線通信部２４によって受信された表示用データＤ１に基づき、表示部２３を制御して、測定処理用画面３０のファンクション表示３２に「Function:DCV」との文字列（測定装置１が「直流電圧値の測定モード」で動作している旨を示す情報）を表示させる。
【００４４】
次いで、一例として、測定処理用画面３０を視認可能にスマートフォン２を任意の場所に載置した状態において、測定装置１の本体部１０ａおよびテストリード１０ｂを手に持って接触子１１ａ，１１ｂを測定対象の任意の測定ポイントに接触させる。この際には、測定部１１によって両測定ポイントの間の直流電圧値が測定され、処理部１６がその測定結果に基づいて表示用データＤ１（測定結果をスマートフォンの表示部２３に表示させるための表示用データＤ１）を生成して、無線通信部１４を介してスマートフォン２に送信させる。この際に、スマートフォン２では、処理部２６が、無線通信部２４によって受信された表示用データＤ１に基づき、表示部２３を制御して、測定処理用画面３０の測定結果表示３３に測定値（この例では、直流電圧値）を数値表示させる。
【００４５】
また、処理部２６は、表示用データＤ１から測定結果（この例では、直流電圧値）を抽出して、その測定時刻に対応付けた測定結果データＤ２としてストレージメモリＭ（または、本体メモリ２１）に記憶させる（「データ保存処理」の実行）。なお、測定結果データＤ２を記憶させる媒体やフォルダについては、一例として、測定処理用画面３０におけるＭｅｎｕキー表示３４の表示部位にタッチすることで表示されるメニュー画面（図示せず）において関連項目を選択することで表示部２３に表示される設定画面において予め登録しておく。これにより、直流電圧値の測定処理が完了する。
【００４６】
この後、直流電圧値の測定に代えて、交流電圧値の測定処理や、抵抗値の測定処理を実行するときには、スマートフォン２の操作部２２（タッチパネル）を操作してファンクション選択キー表示３１ｂ，３１ｃのいずれかの表示部位にタッチする。これにより、上記のファンクション選択キー表示３１ａの表示部位にタッチして直流電圧値の測定処理を実行したときと同様にして、タッチした部位に応じた測定処理が実行され（図示せず）、測定結果が測定処理用画面３０の測定結果表示３３に表示されると共に、測定結果を示す測定結果データＤ２がストレージメモリＭ（または、本体メモリ２１）に記憶される。
【００４７】
また、この測定システム１００では、医療施設内や空港設備内のように無線通信（電波を発射する通信）の利用を制限されている場所（無線通信部１４，２４間での無線通信を行わない方がよい場所）においても各種測定処理を実行することができるように構成されている。具体的には、まず、信号ケーブルＣを介して測定装置１の有線通信部１５（接続コネクタ１５ａ）とスマートフォン２の有線通信部２５とを相互に接続する。この際には、測定装置１において処理部１６が無線通信部１４をオフ状態に移行させると共に、無線通信部１４，２４の間のペアリングが維持されているか否かの監視に代えて、信号ケーブルＣを介してのスマートフォン２との接続が維持されているか否か（スマートフォン２との通信が可能な状態が維持されているか否か）の監視を開始する。
【００４８】
次いで、スマートフォン２の無線通信部２４をオフ状態にすると共に「測定装置用プログラム」を実行する。これにより、上記の無線通信部１４，２４間において無線通信によって送受信された操作データＤ０および表示用データＤ１が有線通信部１５，２５間において送受信される。なお、スマートフォン２の操作方法、測定装置１による測定作業、スマートフォン２の表示部２３に表示される測定処理用画面３０、およびストレージメモリＭ（または、本体メモリ２１）への測定結果データＤ２の記憶処理については、無線通信部１４，２４間において操作データＤ０や表示用データＤ１を送受信した上記の例と同様のため、説明を省略する。
【００４９】
一方、この測定システム１００では、上記の測定処理の終了後に測定装置１の電源を遮断し忘れたときに、電源遮断処理が実行されて、測定装置１の電力が不要に消費される事態を回避する構成が採用されている。具体的には、無線通信部１４，２４を使用した測定処理の後に、測定装置１の電源を遮断し忘れた状態（測定装置１の電源が投入された状態）において、測定装置１およびスマートフォン２の間のペアリングが解除されたとき、すなわち、測定装置１からスマートフォン２に表示用データＤ１を送信可能な通信可能状態が解除されたときに、処理部１６は、３０秒間待機してから、測定装置１の電源を遮断する。また、有線通信部１５，２５および信号ケーブルＣを使用した測定処理の後に、測定装置１の電源を遮断し忘れた状態（測定装置１の電源が投入された状態）において、有線通信部１５，２５のいずれか（または、双方）と信号ケーブルＣとの接続が断たれたとき、すなわち、測定装置１からスマートフォン２に表示用データＤ１を送信可能な通信可能状態が解除されたときに、処理部１６は、３０秒間待機してから、測定装置１の電源を遮断する。
【００５０】
この場合、この測定システム１００では、上記の例においてペアリングが解除されたとき、または有線通信部１５，２５と信号ケーブルＣとの接続が絶たれたときに、直ちに電源を遮断する構成とは異なり、例えば、通信状態の一時的な悪化に起因して測定装置１とスマートフォン２とのペアリングが一時的に解除されたときや、誤って有線通信部１５，２５から信号ケーブルＣを引き抜いてしまったときなどに、測定装置１の電源が遮断されて測定処理が中断される事態が回避される。さらに、この測定システム１００では、スマートフォン２において「測定装置用プログラム」が終了させられて、測定装置１からスマートフォン２に表示用データＤ１を送信することができなくなったときにも、処理部１６が、通信可能状態が解除されたと判別して電源遮断処理を実行する。
【００５１】
また、この測定システム１００では、無線通信部１４，２４を使用した測定処理の後に、測定装置１の電源を遮断し忘れた状態において、測定装置１およびスマートフォン２の間のペアリングが維持されているときや、有線通信部１５，２５および信号ケーブルＣを使用した測定処理の後に、測定装置１の電源を遮断し忘れた状態において、有線通信部１５，２５と信号ケーブルＣとの接続が維持されているときであっても、その状態の測定システム１００（スマートフォン２）が、測定処理の開始時点におけるスマートフォン２の現在位置を中心とする予め設定された範囲を外れたときに、測定装置１において電源遮断処理が実行されて電源が遮断される構成が採用されている。なお、測定装置１が測定現場に位置させられた状態においてスマートフォン２だけが測定現場から離間させられたときには、上記の「通信可能状態」が解除されて測定装置１の電源が遮断される。したがって、測定処理の終了後に、測定装置１およびスマートフォン２の双方が測定現場から離間させられたときを例にして、測定システム１００の動作を説明する。
【００５２】
この測定システム１００では、スマートフォン２の処理部２６が、「測定装置用プログラム」の開始を指示されたときに、スマートフォン２の現在位置を特定して、特定した現在位置を、ストレージメモリ装着部２７に装着されたストレージメモリＭ、および本体メモリ２１のいずれか予め設定された一方に記憶させる。この場合、ＧＰＳレシーバ２９に電源が供給されてＧＰＳレシーバ２９がＧＰＳ信号Ｓｇに基づく現在位置の測位を実行可能な状態となっているときには、処理部２６は、ＧＰＳレシーバ２９から出力された現在位置情報Ｄｐ２に基づいてスマートフォン２の現在位置を特定する。また、ＧＰＳレシーバ２９に電源が投入されていないときや、ＧＰＳレシーバ２９によるＧＰＳ信号Ｓｇの受信が困難なとき（ＧＰＳレシーバ２９による現在位置の測位が困難なとき）には、処理部２６は、携帯電話通信部２８を介して基地局からの現在位置情報Ｄｐ１を取得して、取得した現在位置情報Ｄｐ１に基づいてスマートフォン２の現在位置を特定する。
【００５３】
また、処理部２６は、「測定装置用プログラム」に従い、前述した測定処理の実行中に、ＧＰＳレシーバ２９から出力された現在位置情報Ｄｐ２、または、携帯電話通信部２８を介して受信した現在位置情報Ｄｐ１に基づき、スマートフォン２の現在位置を所定時間間隔（一例として、１分間隔）で特定する。さらに、処理部２６は、現在位置を特定する都度、特定した現在位置が、測定処理の開始時に特定したスマートフォン２の現在位置を中心とする予め設定された範囲（一例として、半径５０ｍの範囲）から外れているか否か（スマートフォン２が予め設定された範囲の外に移動したか否か）を判別する処理を、測定装置１から送信された表示用データＤ１に基づいて測定処理用画面３０を表示させる処理、および操作部２２の操作に応じて出力される操作データＤ０を測定装置１に送信する処理と並行して実行する。
【００５４】
一方、測定システム１００による測定処理が完了した後に、測定装置１の電源を遮断し忘れて（測定装置１の電源を投入したまま）、測定装置１およびスマートフォン２を携帯して測定現場を離れたときには、スマートフォン２が、予め設定された範囲の外に移動させられる。この際には、処理部２６が、ＧＰＳレシーバ２９から出力された現在位置情報Ｄｐ２、または、携帯電話通信部２８を介して受信した現在位置情報Ｄｐ１に基づいて特定した現在位置が設定された範囲を外れたと判別し、一例として、図３に示すように、「測定装置をＯＦＦにします。宜しいですか？」との電源遮断処理開始メッセージ３６を測定処理用画面３０（表示部２３）に表示させると共に、「現在位置が設定された範囲を外れた時点からの経過時間」の計時を開始する。
【００５５】
この際に、本例とは相違するが、例えば、ＧＰＳレシーバ２９による測位の誤りや、基地局からの誤った現在位置を示す現在位置情報Ｄｐ１の送信に起因して、スマートフォン２が測定現場を離れていない（設定された範囲内にスマートフォン２が存在している）にも関わらず電源遮断処理開始メッセージ３６が表示されたときには、利用者は、操作部２２を操作して、「キャンセル」を選択する。これにより、電源遮断処理開始メッセージ３６が消去されると共に、後述するように、電源遮断処理の実行を指示する操作データＤ０が測定装置１に送信されることなく、測定処理が継続される。
【００５６】
一方、電源遮断処理開始メッセージ３６の表示から３０秒が経過するまでに「キャンセル」が選択されなかったとき、電源遮断処理開始メッセージ３６の表示から３０秒が経過する以前に「ＯＫ」が選択されたとき、並びに電源遮断処理開始メッセージ３６の表示から３０秒が経過するまでに「ＯＫ」および「キャンセル」のいずれも選択されなかったときのいずれかのときには、処理部２６は、測定装置１に電源遮断処理を実行を指示する操作データＤ０を生成して、無線通信部２４またはスマートフォン２５を介して測定装置１に送信させる。これに応じて、測定装置１では、処理部１６が電源遮断処理を実行して、測定装置１の電源を遮断する。また、スマートフォン２は、電源遮断処理の実行を指示する操作データＤ０を測定装置１に送信した後に、「測定装置用プログラム」を終了する。これにより、測定処理の終了後に測定装置１の電源を遮断し忘れたとしても、測定システム１００が測定現場を離れることで、測定装置１の電源が自動的に遮断されて、不要な電力の消費が回避される。
【００５７】
また、この測定システム１００では、スマートフォン２のストレージメモリＭ（または、本体メモリ２１）に記憶させた測定結果データＤ２を、携帯電話通信部２８から、携帯電話通信網やインターネット通信網を介して、予め設定したデータサーバに転送することができる。なお、転送先のデータサーバについては、一例として、測定処理用画面３０におけるＭｅｎｕキー表示３４の表示部位にタッチすることで表示されるメニュー画面（図示せず）において関連項目を選択することで表示部２３に表示される設定画面において予め登録しておく。また、測定結果データＤ２の転送に際しては、Ｍｅｎｕキー表示３４の表示部位にタッチすることで表示されるメニュー画面（図示せず）において関連項目を選択することで、処理部２６がストレージメモリＭから測定結果データＤ２を読み出して、上記の各通信網を介して、登録されているデータサーバに送信する。なお、電子メールの添付ファイルとして測定結果データＤ２をスマートフォン２から任意のメールサーバに転送することもできる。
【００５８】
このように、この測定装置１では、測定対象についての「電気的パラメータ（本例では、直流電圧値、交流電圧値および抵抗値）」を測定する測定部１１と、測定装置１の動作状態、および測定部１１の測定結果をスマートフォン２の表示部２３に表示させるための表示用データＤ１を生成する処理部１６と、処理部１６の制御に従ってスマートフォン２に表示用データＤ１を送信する無線通信部１４とを備えて構成されている。また、この測定システム１００では、測定装置１と、測定装置１から送信された表示用データＤ１に基づいて測定装置１の動作状態および測定結果を表示部２３に表示させる「測定装置用プログラム」がインストールされたスマートフォン２とを備えて構成されている。
【００５９】
したがって、この測定装置１および測定システム１００によれば、動作状態や測定結果を表示するための表示部が測定装置１に存在しなくても、無線通信部１４から送信した表示用データＤ１に基づいて測定装置１の動作状態や測定部１１による測定結果をスマートフォン２の表示部２３に表示させることができるため、測定結果の読み取りが困難となる事態を招くことなく、表示部を不要として、測定装置１を十分に小形化および軽量化することができる。また、「測定装置」とは別体に専用の「表示装置」を設ける構成とは異なり、「スマートフォン」を所有している者にとっては、測定システム１００を安価に構築することができる。さらに、無線通信によって測定装置１からスマートフォン２に表示用データＤ１を送信することにより、通信用のケーブルが絡み合うことがないため、測定装置１やスマートフォン２の取り扱いが十分に容易となる。加えて、他の通信機器を別途用意することなく、スマートフォン２が接続可能な各種通信網（携帯電話通信網等）を利用して「測定結果（本例では、測定結果データＤ２）」を任意の場所へ送信することができる。
【００６０】
また、この測定装置１では、処理部１６が、スマートフォン２から送信された操作データＤ０に応じて測定部１１を制御して「電気的パラメータ」を測定させる。また、この測定システム１００では、測定装置１と、操作部２２から出力された操作信号Ｓ１に基づいて操作データＤ０を生成して測定装置１に送信すると共に測定装置１から送信された表示用データＤ１に基づいて測定装置１の動作状態および測定結果を表示部２３に表示させる測定装置用プログラムがインストールされたスマートフォン２とを備えて構成されている。したがって、この測定装置１および測定システム１００によれば、電源スイッチ等の必要最低限の操作スイッチを除いて、測定処理用の操作スイッチが不要となる分だけ、測定装置１を一層小形化および軽量化することができる。
【００６１】
さらに、この測定装置１では、処理部１６の制御に従って信号ケーブルＣを介してスマートフォン２に表示用データＤ１を送信する有線通信部１５を備えている。また、この測定システム１００（測定装置１）では、処理部１６の制御に従って信号ケーブルＣを介してスマートフォン２に表示用データＤ１を送信すると共に信号ケーブルＣを介してスマートフォン２からの操作データＤ０を受信する有線通信部１５を備えている。したがって、この測定装置１および測定システム１００によれば、無線通信の実行を制限されている場所においても信号ケーブルＣを介して表示用データＤ１等を測定装置１からスマートフォン２に送信することができる。また、一般的には、無線通信よりも有線通信の方が測定装置１やスマートフォン２における電力消費量が少なくて済むため、測定装置１やスマートフォン２のバッテリ残量が少ないときに、無線通信しつつ測定処理を実行するよりも長い時間に亘って測定処理を実行することができる。
【００６２】
また、この測定装置１では、処理部１６が、スマートフォン２から電源遮断処理の実行を指示する操作データＤ０が送信されたときに操作データＤ０に従って電源遮断処理を実行して測定装置１の電源を遮断する。また、この測定システム１００では、測定装置１と、操作部２２から出力された操作信号Ｓ１に基づいて操作データＤ０を生成して測定装置１に送信すると共に測定装置１から送信された表示用データＤ１に基づいて測定装置１の動作状態および測定結果を表示部２３に表示させ、かつ、携帯電話通信部２８を介して受信した現在位置情報Ｄｐ１、またはＧＰＳレシーバ２９から出力された現在位置情報Ｄｐ２に基づいて特定した現在位置が予め設定された範囲を外れたときに操作データＤ０を測定装置１に送信して電源遮断処理を実行させる「測定装置用プログラム」がインストールされたスマートフォン２とを備えて構成されている。
【００６３】
したがって、この測定装置１および測定システム１００によれば、測定結果の読み取りが困難となる事態を招くことなく、表示部を不要として、測定装置１を十分に小形化および軽量化することができると共に、電源スイッチ等の必要最低限の操作スイッチを除いて、測定処理用の操作スイッチが不要となる分だけ、測定装置１を一層小形化および軽量化することができるだけでなく、測定処理の終了後に測定装置１の電源を遮断し忘れたとしても、その状態の測定システム１００を携行して測定現場を離れたとき（スマートフォン２が予め設定された範囲外に移動したとき）に、測定装置１の電源が遮断されるため、測定処理を実行していない測定装置１によって不要な電力が消費される事態を確実かつ容易に回避することができる。
【００６４】
さらに、この測定装置１によれば、スマートフォン２への表示用データＤ１の送信が可能な通信可能状態が解除されて表示用データＤ１を送信できなくなったときに電源遮断処理を実行することにより、測定処理の終了後に測定装置１の電源を遮断し忘れたとしても、測定装置１からスマートフォン２に表示用データＤ１を送信することができなくなったとき（通信可能状態が解除されたとき）に、測定装置１の電源が遮断されるため、スマートフォン２に表示用データＤ１に基づく測定処理用画面３０を表示させていないとき、すなわち、測定処理を実行していないときに、測定装置１によって不要な電力が消費される事態を確実かつ容易に回避することができる。
【００６５】
また、この測定システム１００によれば、測定装置１に電源遮断処理を実行させるための操作データＤ０を送信した後に測定装置用プログラムを終了するようにプログラムされたプログラムを「測定装置用プログラム」としてスマートフォン２にインストールしたことにより、測定装置１の電源を遮断させたとき、すなわち、測定処理を終了したときに、スマートフォン２において継続して実行させる必要がなくなった測定装置用プログラムを、終了操作を行うことなく自動的に終了させることができるため、測定装置用プログラムの不要な実行によってスマートフォン２の電力が消費される事態を回避することがきる。
【００６６】
また、この測定システム１００によれば、表示用データＤ１から測定結果を抽出して測定結果データＤ２としてストレージメモリＭ（または、本体メモリ２１）に記憶させる「データ保存処理」を実行可能なプログラムを「測定装置用プログラム」としてスマートフォン２にインストールしたことにより、測定装置１内に大容量のメモリを搭載することなく、測定部１１による測定結果をスマートフォン２においてストレージメモリＭ（または、本体メモリ２１）に記憶させて保存することができる。これにより、小さなメモリを搭載して測定装置１を製造できるため、測定装置１の製造コストを十分に低減することができる。
【００６７】
なお、測定装置および測定システムの構成は、上記の測定装置１や、これを備えた測定システム１００の構成に限定されない。例えば、ブルートゥース規格に準じた近距離無線通信を実行可能な無線通信部１４を備えた測定装置１を例に挙げて説明したが、この構成に代えて、または、この構成に加えて、ＩｒＤＡ規格に準じた赤外線通信を実行可能な無線通信部（図示せず）を備えて「測定装置」を構成することもできる。このような構成を採用した場合においても、上記の測定装置１および測定システム１００と同様の効果を奏することができる。また、赤外線通信によって操作データＤ０や表示用データＤ１を送受信する構成を採用した場合には、電波を発射する無線通信の利用を制限されている場所においても、操作データＤ０や表示用データＤ１を無線通信で送受信することができる。
【００６８】
また、スマートフォン２の操作によってスマートフォン２から操作データＤ０を測定装置１に送信して測定装置１による測定処理を実行する例について説明したが、測定処理の実行に必要な操作スイッチを「測定装置」に設けると共に（図示せず）、「スマートフォン」から測定装置１に操作データＤ０を送信させずに「測定装置」の操作スイッチを操作して測定処理を実行し、その測定結果に対応する表示用データＤ１を「スマートフォン」に送信して測定結果を表示部２３に表示させる構成（「測定装置」による測定処理を「スマートフォン」の操作によって実行しない構成）を採用することもできる。このような構成を採用した場合においても、測定結果を表示するための表示部が「測定装置」に不要となる分だけ、「測定装置」を十分に小形化および軽量化することができる。
【００６９】
さらに、スマートフォン２において表示用データＤ１から抽出した測定結果を測定結果データＤ２としてストレージメモリＭ等に記憶させたり、ストレージメモリＭ等に記憶させた測定結果データＤ２をデータサーバ等に送信することができる「測定装置用プログラム」をスマートフォン２にインストールした例について説明したが、測定結果データＤ２の生成およびストレージメモリＭ等への記憶を実行することなく、単に、測定結果を「表示部」に表示させる処理だけを実行する「測定装置用プログラム」をスマートフォン２にインストールすることもできる。また、本体部１０ａおよびテストリード１０ｂ（接触子１１ａ，１１ｂ）を備えた測定装置１を例に挙げて説明したが、「測定装置」はこれに限定されず、本体部に設けられた１つの接触子と接地電位との間の電圧値や抵抗値を測定する構成の測定装置（本体部１０ａとは別体のテストリード１０ｂを備えていない測定装置）に本発明を適用することができる。
【符号の説明】
【００７０】
１００  測定システム
１  測定装置
２  スマートフォン
１１  測定部
１４，２４  無線通信部
１５，２５  有線通信部
１５ａ  接続コネクタ
１６，２６  処理部
２１  本体メモリ
２２  操作部
２３  表示部
２７  ストレージメモリ装着部
２８  携帯電話通信部
２９  ＧＰＳレシーバ
３０  測定処理用画面
３１ａ〜３１ｃ  ファンクション選択キー表示
３２  ファンクション表示
３３  測定結果表示
３４  Ｍｅｎｕキー表示
３５  Ｅｎｄキー表示
３６  電源遮断処理開始メッセージ
Ｃ  信号ケーブル
Ｄ０  操作データ
Ｄ１  表示用データ
Ｄ２  測定結果データ
Ｄｐ１，Ｄｐ２  現在位置情報
Ｍ  ストレージメモリ
Ｓ１  操作信号
Ｓ２  制御信号
Ｓｇ  ＧＰＳ信号
【図１】
0005839989.tif 000002
【図２】
0005839989.tif 000003
【図３】
0005839989.tif 000004